(57)【要約】【課題】軽量間仕切壁の構築の際、壁材立設後に配設体の位置を調整する労力を軽減し、壁内における配設体の配置方法を提供する。【解決手段】配設体配置方法は、軽量間仕切壁内で上下ランナー３１間に側方移動可能に配置されたスタッド３２に配設体支持具２００を介して配設体１００を配置する方法であって、スタッド３２に配設体支持具２００を固定するステップと、スタッド３２の側方に延びる配設体支持具２００の支持部２０２にスライド可能な状態で配設体１００を取り付けるステップと、配設体１００を上下ランナー３１の少なくとも一方に固定し、壁材３３の所定位置に合わせて配設体１００を制止させるための固定具１１０を設けるステップと、スタッド３２の移動時に、配設体１００の制止位置において配設体１００を支持部２０２に対してスライドさせるステップと、を含むことを特徴とする。【選択図】図１
2014103773.tif 000002
【特許請求の範囲】
【請求項１】
軽量間仕切壁内で上下ランナー間に側方移動可能に配置されたスタッドに配設体支持具を介して配設体を配置する方法であって、
前記スタッドに前記配設体支持具を固定するステップと、
前記スタッドの側方に延びる前記配設体支持具の支持部にスライド可能な状態で前記配設体を取り付けるステップと、
前記配設体を前記上下ランナーの少なくとも一方に固定し、前記壁材の所定位置に合わせて前記配設体を制止させるための固定具を設けるステップと、
前記スタッドの移動時に、前記配設体の制止位置において前記配設体を前記支持部に対してスライドさせるステップと、を含むことを特徴とする配設体の配置方法。
【請求項２】
前記固定具は、前記ランナーと前記配設体とを連結するワイヤであることを特徴とする請求項１に記載の配置方法。
【請求項３】
壁材を形成して当該壁材に貫通孔を形成した後に、前記固定具を前記貫通孔から回収するステップをさらに含むことを特徴とする請求項１又は２に記載の配置方法。
【請求項４】
軽量間仕切壁内で上下ランナー間に側方移動可能に配置されたスタッドに配設体支持具を介して配設体を配置するための配設体設置装置であって、
前記スタッドに固定される取付部と、当該取付部から前記スタッドの側方に延びる支持部とを備え、当該支持部に沿ってスライド可能な状態で前記配設体を支持する配設体支持具と、
前記配設体を前記上下ランナーの少なくとも一方に固定し、前記壁材の所定位置に合わせて前記配設体を制止させるための固定具と、を備え、
前記スタッドの移動時に、前記配設体の制止位置において前記配設体が前記支持部に対してスライドすることを特徴とする配設体設置装置。
【請求項５】
前記固定具は、前記ランナーと前記配設体とを連結するワイヤであることを特徴とする請求項４に記載の配設体設置装置。
【請求項６】
軽量間仕切壁内で上下ランナー間に側方移動可能に配置されたスタッドに配設体支持具を介して固定され、壁内で所定位置に設置される配設体であって、
本体と、
当該本体に設けられ、前記配設体支持具の支持部上をスライドするための摺動部と、
前記壁材の所定位置に合わせて前記配設体を制止させるように、前記本体と前記上下ランナーの少なくとも一方とを連結して本配設体を制止するための固定具と、を備え、
前記スタッドの移動時に、本配設体がその制止位置において前記支持部に対してスライドすることを特徴とする配設体。
【発明の詳細な説明】
【技術分野】
【０００１】
本発明は、壁内に配置される配設体、当該配設体の配置方法及び配設体設置装置に関する。
【背景技術】
【０００２】
従来、壁内で配設体をスタッドなどの造営材に対して支持及び固定するための種々の設置手段が利用されている。
【０００３】
例えば、特許文献１は、壁内に配置される配設体としてのボックス（Ｂ）を、スタッド（間柱）に固定するためのボックス固定具を開示している。このボックス固定具の本体（１）は、スタッド（Ｐ）に固定するための取付部（１ａ）と、ボックス（Ｂ）を取り付けるための支持部（１ｂ）とを備える。そして、保持部材（４）が支持部（１ｂ）を後面側から抱き込むようにボックス（Ｂ）に取り付けられる。当該保持部材（４）はボックス（Ｂ）を支持部（１ｂ）上でスライド可能に取り付けるものである。このボックス固定具を用いて壁内にボックス（Ｂ）を設置するには、まず、ボックス固定具の取付部（１ａ）をスタッド（Ｐ）に固定し、次いで、保持部材（４）を介してボックス（Ｂ）を支持部（１ｂ）上にスライド可能に取り付ける。そして、ボックス（Ｂ）を支持部（１ｂ）に対してスライドさせて、ボックス（Ｂ）を支持部（１ｂ）の任意の位置に配置し、固定部材（１ｉ）でボックス（Ｂ）を支持部（１ｂ）にしっかりと固定する。一般的に、この固定工程の後に、前壁及び後壁を立設すると共に器具を設置する位置で壁材に貫通孔を形成することにより、貫通孔から壁表にボックス（Ｂ）を臨ませて当該ボックス（Ｂ）に配線器具等を設置する。
【先行技術文献】
【特許文献】
【０００４】
【特許文献１】特開２００６−３４５６１３号公報
【発明の概要】
【発明が解決しようとする課題】
【０００５】
特許文献１のような軽量間仕切り壁は、複数の所定間隔で立設したスタッド（間柱）と、これら複数のスタッドを上下から挟み込むように側方に延びる上下ランナーと、スタッド及び上下ランナーの前後に立設された壁材と、からなる。当該軽量間仕切り壁において、壁材未設置の当初状態では、スタッドが上下ランナー間に固定されないで配置されている。そして壁材を立設する際、壁材の所定位置までスタッドをランナーに沿って移動させて、これら壁材とスタッドとを共にランナーに固定する。そのため、壁材立設時にスタッドの固定位置が当初の予定位置から大きく外れる場合がある。すなわち、特許文献１のように配設体の設置又は固定後に壁材を設置した際、スタッドと共に配設体の位置が予想以上に大きくずれてしまい、貫通孔から臨ませるべき配設体を見失ったり、又は、穿設した貫通孔から手が届かずに固定部材を緩めて配設体の位置を調整することが困難となったりすることがあった。つまり、従来の配設体配置方法では、当該配設体を所定位置に移動させるという位置調整工程が困難且つ時間のかかる作業であった。
【０００６】
本発明は、上記課題を解決するためになされたものであり、その目的は、壁材立設後に配設体の位置を調整する労力を軽減し、壁内における配設体設置作業を改善する配設体、配設体配置方法及び配設体設置装置を提供することにある。
【課題を解決するための手段】
【０００７】
請求項１に記載の配設体の配置方法は、軽量間仕切壁内で上下ランナー間に側方移動可能に配置されたスタッドに配設体支持具を介して配設体を配置する方法であって、スタッドに配設体支持具を固定するステップと、スタッドの側方に延びる配設体支持具の支持部にスライド可能な状態で配設体を取り付けるステップと、配設体を上下ランナーの少なくとも一方に固定し、壁材の所定位置に合わせて配設体を制止させるための固定具を設けるステップと、スタッドの移動時に、配設体の制止位置において配設体を支持部に対してスライドさせるステップと、を含むことを特徴とする。
【０００８】
請求項２に記載の配設体の配置方法は、請求項１の方法において、固定具は、ランナーと配設体とを連結するワイヤであることを特徴とする。
【０００９】
請求項３に記載の配設体の配置方法は、請求項１又は２の方法において、壁材を形成して当該壁材に貫通孔を形成した後に、固定具を貫通孔から回収するステップをさらに含むことを特徴とする。
【００１０】
請求項４に記載の配設体設置装置は、軽量間仕切壁内で上下ランナー間に側方移動可能に配置されたスタッドに配設体支持具を介して配設体を配置するための配設体設置装置であって、スタッドに固定される取付部と、当該取付部からスタッドの側方に延びる支持部とを備え、当該支持部に沿ってスライド可能な状態で配設体を支持する配設体支持具と、配設体を上下ランナーの少なくとも一方に固定し、壁材の所定位置に合わせて配設体を制止させるための固定具と、を備え、スタッドの移動時に、配設体の制止位置において配設体が支持部に対してスライドすることを特徴とする。
【００１１】
請求項５に記載の配設体設置装置は、請求項４の配設体設置装置において、固定具は、ランナーと配設体とを連結するワイヤであることを特徴とする。
【００１２】
請求項６に記載の配設体は、軽量間仕切壁内で上下ランナー間に側方移動可能に配置されたスタッドに配設体支持具を介して固定され、壁内で所定位置に設置される配設体であって、本体と、当該本体に設けられ、配設体支持具の支持部上をスライドするための摺動部と、壁材の所定位置に合わせて配設体を制止させるように、本体と上下ランナーの少なくとも一方とを連結して本配設体を制止するための固定具と、を備え、スタッドの移動時に、本配設体がその制止位置において支持部に対してスライドすることを特徴とする。
【発明の効果】
【００１３】
請求項１に記載の発明によれば、壁材を立設してランナーに沿ってスタッドが移動し、これに取り付けられた配設体支持具の支持部がスタッドと共に側方移動しても、併せて設けられた制止手段としての固定具によって、配設体はスタッド及び支持部の移動方向と逆行するように支持部に対してスライドして、所定位置に制止したままである。つまり、固定具が配設体とランナーとの相対的な位置関係（すなわち空間における絶対位置）を維持する。このため、スタッド及び配設体支持部の両者が側方に大きく移動したとしても、支持部に支持された状態で配設体がその場（制止位置）に維持されるため、例えば壁材の立設後に壁裏の配設体の位置を見失ったり、あるいは、壁材に貫通孔を穿設したときに配設体が貫通孔から臨んでおらず位置調整に手間取ったりする虞を排除することができる。つまり、本発明の配設体配置方法によれば、例えば壁材立設時などに伴うスタッド及び配設体支持具の移動に拘わらず、配設体を簡単に所定位置に配置することができるので、配設体の位置調整作業の煩わしさを著しく軽減する。したがって、本配置方法は、（特に軽量間仕切り壁構築において）スタッドが大きく移動する際の不具合を解消するものであり、軽量間仕切壁内における配設体の設置作業を改善するものである。
【００１４】
請求項２に記載の発明によれば、請求項１の発明の効果に加えて、固定具がランナーと配設体とを連結するワイヤであることにより、簡易な構造で配設体を制止することができる。
【００１５】
請求項３に記載の発明によれば、請求項１又は２の発明の効果に加えて、壁材を形成して当該壁材に貫通孔を形成した後に固定具を貫通孔から回収することにより、配設体の設置後に不要となった固定具を容易に排除することができる。
【００１６】
請求項４に記載の発明によれば、壁材を立設してランナーに沿ってスタッドが移動し、これに取り付けられた配設体支持具の支持部がスタッドと共に側方移動しても、併せて設けられた制止手段としての固定具によって、配設体はスタッド及び支持部の移動方向と逆行するように支持部に対してスライドして、所定位置に制止したままである。つまり、固定具が配設体とランナーとの相対的な位置関係（すなわち空間における絶対位置）を維持する。このため、スタッド及び配設体支持部の両者が大きく移動したとしても、支持部に支持された状態で配設体がその場（制止位置）に維持されるため、例えば壁材の立設後に壁裏の配設体の位置を見失ったり、あるいは、壁材に貫通孔を穿設したときに配設体が貫通孔から臨んでおらず位置調整に手間取ったりする虞を排除することができる。つまり、本発明の配設体設置装置によれば、例えば壁材立設時などに伴うスタッド及び配設体支持具の移動に拘わらず、配設体を簡単に所定位置に配置することができるので、配設体の位置調整作業の煩わしさを著しく軽減する。したがって、本配設体設置装置は、（特に軽量間仕切り壁構築において）スタッドが大きく移動する際の不具合を解消するものであり、軽量間仕切壁内における配設体の設置作業を改善するものである。
【００１７】
請求項５に記載の発明によれば、請求項４の発明の効果に加えて、固定具がランナーと配設体とを連結するワイヤであることにより、簡易な構造で配設体を制止することができる。
【００１８】
請求項６に記載の発明によれば、壁材を立設してランナーに沿ってスタッドが移動し、これに取り付けられた配設体支持具の支持部がスタッドと共に側方移動しても、併せて設けられた制止手段としての固定具によって、配設体はスタッド及び支持部の移動方向と逆行するように支持部に対してスライドして、所定位置に制止したままである。つまり、固定具が配設体とランナーとの相対的な位置関係（すなわち空間における絶対位置）を維持する。このため、スタッド及び配設体支持部の両者が大きく移動したとしても、支持部に支持された状態で配設体がその場（制止位置）に維持されるため、例えば壁材の立設後に壁裏の配設体の位置を見失ったり、あるいは、壁材に貫通孔を穿設したときに配設体が貫通孔から臨んでおらず位置調整に手間取ったりする虞を排除することができる。つまり、本発明の配設体によれば、例えば壁材立設時などに伴うスタッド及び配設体支持具の移動に拘わらず、配設体を簡単に所定位置に配置することができるので、配設体の位置調整作業の煩わしさを著しく軽減する。したがって、本配設体は、（特に軽量間仕切り壁構築において）スタッドが大きく移動する際の不具合を解消するものであり、軽量間仕切壁内における配設体の設置作業を改善するものである。
【図面の簡単な説明】
【００１９】
【図１】本発明の一実施形態におけるボックスの斜視図。
【図２】図１の配設体であって、（ａ）正面図、（ｂ）背面図。
【図３】図１の配設体であって、（ａ）側面図、（ｂ）図２（ａ）のＡ−Ａ断面図。
【図４】本発明の一実施形態における配設体支持具の斜視図。
【図５】図４の配設体支持具であって、（ａ）平面図、（ｂ）正面図。
【図６】本発明の一実施形態における配設体設置装置の分解斜視図。
【図７】本発明の一実施形態における配設体設置装置の全体斜視図。
【図８】（ａ）図７の配設体設置装置に壁材を立設する前の上方断面図、（ｂ）壁材立設後の上方断面図。
【図９】図８（ｂ）の配設体設置装置の部分拡大正面図。
【図１０】図９の配設体設置装置において壁材に貫通孔を穿設した全体斜視図。
【図１１】本発明の変形例の配設体設置装置の斜視図。
【発明を実施するための形態】
【００２０】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２１】
図１は、本発明に係る一実施形態の配設体としての（配線）ボックス１００の斜視図である。図１に示すとおり、ボックス１００は、側壁１０１ａ及び底壁１０１ｂを有する中空の筺体であるボックス本体１０１からなる。当該ボックス本体１０１の正面（前面）には、前面部（又は前面開口）１０２が形成されている。そして、この前面部１０２には配線器具（図示せず）をビス等で取り付けるための器具取付部１０３が設けられている。また、後述する配設体支持具２００の支持部２０２をスライド可能に把持する摺動部１０４が、ボックス１００の底壁１０１ｂに凹設されている。さらに、ボックス本体１０１の両側壁１０１ａの前面開口端縁には、被固定部１０５が切り欠き形成されており、当該被固定部１０５には制止手段としての固定具１１０が着脱可能に嵌合されている。
【００２２】
当該固定具１１０は、ワイヤ１１１と、ボックス１００の被固定部１０５に固定される半長円形状の第１固定部１１２と、ランナーに固定される環状の第２固定部１１３と、を備える。図１では、第１固定部１１２がボックス１００の被固定部１０５に嵌合及び固定した状態で、ワイヤ１１１が上下方向に延びている。当該ワイヤ１１１の上下先端に位置する第２固定部１１３がランナーに固定される。なお、当該固定具１１０は、ボックス１００に脱着可能に取り付けられているため、配設体（ボックス１００）の別部材として捉えることも、あるいは、配設体の構成要素の一部として捉えることも可能である。また、本実施形態では、固定具１１０のワイヤ１１１は番線であり、折り曲げ可能な柔軟な部材を採用している。そして、この柔軟なワイヤ部材は、ボックス１００を制止可能に張設可能であれば、例えば合成繊維や麻紐などであってもよく、当業者がその材質を任意に選択可能であることは云うまでもない。
【００２３】
図２（ａ）及び（ｂ）は、当該ボックス１００の正面図及び背面図であり、図３（ａ）及び（ｂ）は当該ボックス１００の側面図及び（Ａ−Ａ）断面図である。これらを参照して、ボックス１００をさらに詳細に説明する。
【００２４】
図２（ａ）に示すとおり、ボックス本体１０１の左右両側壁１０１ａに切り欠かれた被固定部１０５は、側壁１０１ａの各辺の略中央に配置されており、これら被固定部１０５のボックス裏面側には摺動部１０４が左右に延在している（図２（ｂ）及び図３（ａ）参照）。図３（ａ）に示されているとおり、被固定部１０５が半長円形状の切り欠きであり、且つ、固定具１１０の第１固定部１１２も半長円形状（図１参照）を有しているため、これら両形状に基づく嵌合関係により、固定具１１０がボックス本体１０１に着脱可能に固着している。
【００２５】
図２（ｂ）及び図３（ａ）に示すとおり、ボックス本体１０１の底壁１０１ｂには、配設体支持具２００の支持部２０２をスライド可能に把持するように形成された摺動部１０４が凹設されている。当該摺動部１０４は、ボックス本体１０１の底壁１０１ｂの左端から右端まで延在しており、支持部２０２をボックス１００の側方から差し込み可能に構成されている。そして、当該摺動部１０４にボックス１００側方から差し込んだ支持部２０２を前後方向に抜けないように把持すべく、左右両端において爪状の把持部１０４ａがその内方に突出している（図３（ａ）参照）。
【００２６】
なお、本実施形態では、配設体を合成樹脂で成形された（配線）ボックス１００として説明したが、本発明の配設体は、器具や管材や線材等を一般的に配設可能なものを含む概念であり、当該ボックス１００に限定されることはない。すなわち、本発明の範囲内であれば、配設体をボックス１００に換えて、例えば、可撓管を把持するための管クリップ、継手又はジョイントボックス等に変更することも可能である。
【００２７】
図４は、配設体支持具２００の斜視図である。配設体支持具２００は、その基端から先端まで延びる平面視Ｌ字形状（図５（ａ）参照）の長板であり、その基端に位置する取付部２０１と、当該取付部２０１からその先端に向けて長手状に延在する支持部２０２とからなる。この取付部２０１には、取付孔２０１ａが穿設されており、当該取付孔２０１ａを介してスタッド３２に固定される。そして、支持部２０２には、配設体としてのボックス１００の底壁１０１ｂを固定するための複数の長孔２０２ａが穿設されている。さらに、支持部２０２の表面には目盛り部２０５が刻印されており、配設体を取り付ける位置の目安として用いられる。また、ボックス本体１０１の底壁１０１ｂでは、摺動部１０４表面から複数（本実施形態では１２個）の小突起１０６が凸設されている。この小突起１０６が、配設体支持具２００の支持部１０２に接触し、摺動部１０４の底面が直接的に支持部１０２に当接することを防止している。つまり、ボックス１００が摺動部１０４を介して支持部２０２上を摺動する際、ボックス本体１０１と支持部２０２との接触面積が小突起１０６の先端だけであるため、摺動部１０４と支持部２０２表面との間の摩擦力を低減させ、ボックス１００の滑らかなスライドを実現することができる。
【００２８】
図５（ａ）及び（ｂ）は、当該配設体支持具２００の平面図及び正面図を示している。  図５（ａ）に示すとおり、当該配設体支持具２００はＬ字形状に屈曲しており、短片状の取付部２０１と長片状の支持部２０２とが略直角に連結されている。図５（ｂ）に示すとおり、長手状の支持部２０２の先端近傍には、ビス２０４を螺着するためのビス孔２０３が穿設されている。当該ビス２０４は、ボックス１００を支持部２０２にスライド可能に取り付けた後に螺着されるものであり、ボックス１００が支持部２０２の先端から不用意に抜け落ちることを防止するストッパーとして機能する。
【００２９】
そして、本実施形態では、配設体支持具２００の支持部２０２と略直角に屈曲した取付部２０１を介して配設体支持具２００が片持ち状態でスタッド３２に固定される。しかしながら、本発明はこの形態に限定されることはない。例えば、配設体支持具をＬ字屈曲させずに平面視直線状の形態とすることも可能である。あるいは、２本のスタッド３２間に両持ち状態で配設体支持具を架設するように配設体設置装置（又は配設体支持具）を構成することも可能である。
【００３０】
なお、本実施形態の配設体支持具２００は、ＳＵＳ材を屈曲及び穿設加工することにより得られたが、本発明は、一実施形態の製法及び材質に限定されるものではない。例えば、ＳＵＳ材などの金属材料の替わりに、硬質樹脂等を成形加工して配設体支持具を形成することも可能である。
【００３１】
図６は、本配設体配置方法においてボックス１００、固定具１１０及び配設体支持具２００をスタッド３２に取り付ける工程を示した配設体設置装置１０の分解斜視図である。この図６に示す軽量間仕切り壁の壁裏設置構造では、上下に設置されたランナー３１に挟まれて複数のスタッド３２が間隔をおいて立設されている。一般的に、ランナー３１及びスタット３２を前後に挟むように壁材３３を立設することにより、本実施形態のような軽量間仕切り壁が構築される。これらスタッド３２はランナー３１に固定されておらず、壁材３３の設置時に当該壁材３３に合わせてスタッド３２をランナー３１に沿って移動させ、そして、スタッド３２が壁材３３とともにランナー３１に固定される。他方、上下ランナー３１は床面や天井等の固定構造体に直接的又は間接的に固定されており、壁材３３の構築時に移動することはない。また、上下ランナー３１には、後述するように、固定具１１０の第２固定部１１３を固定するための掛止体１２０が、ボックス１００を配置すべき位置に対応する場所（すなわち壁面の所定位置の上下垂直方向に当たる位置）で配置されている。当該掛止体１２０は磁石からなり、金属製の上下ランナー３１の所定位置に磁着されている。そして、掛止体１２０は、その先端が外方に張り出しており、固定具１１０の環状の第２固定部１１３を掛止可能な形状を有する。なお、この掛止体１２０は、第２固定部１１３と対になるものであり、固定具１１０（又は第２固定部１１３）の一部として解釈することも可能である。
【００３２】
図６に示すとおり、本配置方法では、最初に、壁材３３に設けられる貫通孔３４の位置（高さ）に合わせて配設体支持具２００を固定する高さを設定して、配設体支持具２００の取付部２０１を配置する位置をスタッド３２の表面に罫書く。当該罫書きに沿って配設体支持具２００をスタッド３２に宛がい、配設体支持具２００の取付部２０１に設けられた取付孔２０１ａにビスを貫通させて、配設体支持具２００をスタッド３２の側部に固定する。次に、配設体支持具２００の側方に延びる支持部２０２の先端をボックス１００の凹状の摺動部１０４に挿通することにより、ボックス１００を支持部２０２上にスライド可能な把持状態で配置する。そして、ボックス１００を支持部２０２上でその基端側（スタッド３２側）に摺動させ、支持部２０２先端のビス孔２０３が前面に臨むようにボックス１００を配置する。この位置関係でビス２０４をビス孔２０３に螺着することにより、ボックス１００が支持部２０２先端から不用意に抜け落ちることが防止されている。この段階では、ボックス１００は摺動部１０４を介して配設体支持具２００の支持部２０２に沿ってスライド可能に配置されている。
【００３３】
次いで、ボックス１００をランナー３１に対して所定位置に配置する。当該所定位置とは、空間に固定される壁材３３の壁面上の特定の位置（すなわち空間における絶対位置）を示し、例えばスタッド３２などの移動する構造体に対する相対的な位置ではない。つまり、本実施形態では、壁材３３の設置時に移動しないように床面や天井等に固定されたランナー３１とボックス１００との相対位置を測ることにより、壁面上の所定位置に合致させるようにボックス１００を配置することができる。さらに、ボックス１００を固定具１１０で所定位置に制止可能にするように、固定具１１０の第２固定部１１３を固定するための掛止体１２０を上下ランナー３１上に位置調整して配置する。前述したとおり、この掛止体１２０は磁石からなり、金属製のランナー３１表面に脱着可能に磁着させることができる。
【００３４】
そして、ボックス１００を支持部２０２に沿って壁材３３の所定位置に合わせて配置した後、ボックス１００の被固定部１０５に固定具１１０の第１固定部１１２を嵌合させて固定すると共に、当該固定具１１０の第２固定部１１３を上下ランナー３１上に磁着した掛止体１２０に係合させてそれぞれ固定する。本実施形態では、ボックス１００を上下両方のランナー３１に接続している。これにより、ワイヤ１１１が第２固定部１１３（又は掛止体１２０）を軸として回動又は傾斜することを防止し、ボックス１００の制止機能を十分に発揮することができる。しかしながら、ワイヤ１１１を上下ランナー３１のいずれか一方に固定することによっても、ボックス１００を許容範囲内で制止し、ボックス１００が所定位置から大きくずれることを十分に防止することができるのは云うまでもない。
【００３５】
図７は、壁材を立設する直前の配設体設置装置１０の全体斜視図である。図７に示すとおり、固定具１１０がボックス１００と上下ランナー３１とを連結している。すなわち、固定具１１０の第１固定部１１２がボックス１００の被固定部１０５に嵌合し、当該被固定部１０５（又は第１固定部１１２）の上下方向にワイヤ１１１が延び出ており、さらに上下の第２固定部１１３が上下ランナー３１上の掛止体１２０にそれぞれ係合して固定されている。このとき、ワイヤ１１１がボックス１００及びランナー３１間で撓まないように張架されており、ボックス１００がその場から側方（ランナー３１の長手方向）に移動しないようにボックス１００を制止又は維持している。つまり、図７の状態では、ボックス１００とランナー３１とが間接的な固定関係にあり、ボックス１００とランナー３１との間の相対的な位置関係が固定具１１０によって維持されている。
【００３６】
次に、図７の配設体設置装置１０の前後に壁材３３を立設する。前述したとおり、本実施形態の軽量間仕切り壁では、スタッド３２が上下ランナー３１に固定されておらず、壁材３３を立設する際、壁材３３にあわせてスタッド３２をランナー３１に沿って移動させる必要がある。そこで、図８（ａ）及び（ｂ）を参照して、当該配設体設置装置１０の前後に壁材３３を立設する際のボックス１００、配設体支持具２００、ランナー３１及びスタッド３２の相互間の動作を説明する。
【００３７】
図８（ａ）は、壁材設置前の配設体設置装置１０を上方から表した断面図である。図８（ａ）に示すとおり、スタッド３２に固定された配設体支持具２００の支持部２０２にボックス１００が摺動部１０４を介してスライド可能に配置されている。図８（ａ）の状態（図７と同様）では、ボックス１００が支持部２０２上で既に位置決めされた所定位置に配置されている。つまり、ボックス１００はランナー３１と所定の相対位置関係にある。
【００３８】
図８（ｂ）は、図８（ａ）から壁材３３を立設した後の配設体設置装置１０を上方から表した断面図である。図８（ｂ）に示すとおり、壁材３３を立設することにより、スタッド３２及び配設体支持具２００がランナー３１に沿って大きく側方に移動している。しかしながら、ボックス１００がランナー３１に対して固定具１１０によって実質的に固定されているため、ボックス１００はランナー３１との相対位置（すなわちボックス１００の制止位置）を維持している。つまり、固定具１１０がボックス１００をその場に制止させていることにより、スタッド３２の移動とともに配設体支持具２００の支持部２０２がボックス１００の摺動部１０４内をスライドし、（ボックス１００を移動させずに）スタッド３２及び支持部２０２のみが側方に移動している。換言すると、スタッド３２及び支持部２０２の移動方向と逆行するように、ボックス１００が摺動部１０４を介して支持部２０２上を相対的にスライドしている。したがって、壁材３３を立設した図８（ｂ）の状態の配設体設置装置１０では、当該ボックス１００は支持部２０２に支持された状態で当初定めた所望の位置（壁材立設前の図８（ａ）の配置位置）に配置されている。
【００３９】
図９は、図８（ｂ）の正面視を示している。図９に示すとおり、固定具１１０のワイヤ１１１がボックス１００とランナー３１との間で張架しており、ボックス１００が所定位置に制止及び配置されている。図９の仮想線は、壁材３３を構築する以前の移動前のスタッド３２及び配設体支持具２００を示している。つまり、図９における実線部と仮想線部とを見比べると、ボックス１００が固定具１１０によって制止位置に維持されたまま、スタッド３２及び支持部２０２がボックス１００に対して側方に移動することにより、壁材３３の設置後において、ボックス１００が支持部２０２上で壁面の所定位置の背後に維持されていることが明らかである。
【００４０】
そして、壁材３３の所定位置でボックス１００を壁表に臨ませるべく、壁材（前壁）３３に貫通孔３４を穿設する。図１０は、立設した壁材３３の所定位置に貫通孔３４を穿設した状態を示す配設体設置装置１０の全体斜視図である。図１０に示すとおり、貫通孔３４からボックス１００の前面部１０２が臨んでいる。この貫通孔３４は、縦長の長円形（又は長方形）であり、ボックス１００の器具取付部１０３、及び、取り付ける配線器具Ｅの形状に対応している。このとき、任意に、固定具１１０をボックス１００から取り除いて、貫通孔３４から引き出すことが可能である。すなわち、固定具１１０の第１固定部１１２をボックス１００の被固定部１０５から離脱させ、ワイヤ１１１を強く引っ張ることによって、ランナー３１表面に磁着した掛止体１２０がランナー３１から外れ、掛止体１２０と共に第２固定部１１３を貫通孔３４を介して壁表に引き出すことにより、固定具１１０及び掛止体１２０を配設体設置装置１０から取り除くことができる。すなわち、これら固定具１１０及び掛止体１２０は再度、別の軽量間仕切壁を構築する際にも再利用可能である。そして、必要であればボックス１００の位置を微調整した後に、ビス等を用いて支持部２０２上の長孔２０２ａにボックス１００の底壁１０１ｂを固定することにより、ボックス１００を所定位置に固定する配設体設置工程が完了する。その後、壁表から配線器具Ｅを前面部１０２に形成された器具取付部１０３に貫通孔３４を通して取り付けることができる。
【００４１】
なお、本発明の配設体配置方法は、上記工程順序に限定されず、必要に応じて相互に入れ替え、又は、不要な工程を省略することが可能である。
【００４２】
以下、本発明に係る一実施形態の配設体配置方法（配設体設置装置１０、ボックス１００）の作用効果について説明する。
【００４３】
本実施形態の配設体配置方法（又は、配設体設置装置１０、ボックス１００）では、配設体設置装置１０の前後に壁材３３を立設してスタッド３２がランナー３１に沿って移動したときに、制止手段としての固定具１１０によってボックス１００を所定位置で制止させる。すなわち、固定具１１０によってボックス１００が支持部２０２に支持された状態でランナー３１への相対位置（すなわちボックス１００の制止位置）を維持しつつ、スタッド３２に固定された配設体支持具２００の支持部２０２に対してボックス１００がスタッド３２及び配設体支持具２００の移動方向とは逆方向に相対的にスライドする。このため、スタッド３２及び配設体支持部２００の両方が側方に大きく移動したとしても、ボックス１００がその場（制止位置）に制止されるため、例えば壁材３３の立設後に壁裏のボックス１００の位置を見失ったり、あるいは、壁材３３に貫通孔３４を穿設したときにボックス１００が貫通孔３４から臨んでおらず位置調整に手間取ったりする虞を排除することができる。すなわち、本実施形態の配設体配置方法によれば、壁材３３を立設したときのスタッド３２及び配設体支持具２００の移動量に拘わらず、ボックス１００が支持部２０２上で所定位置に制止されるため、壁内のボックス１００を壁表に臨ませるべく特定の位置で壁材３３に貫通孔３４を形成するだけで、面倒なボックスの探知や位置調整をすることなく、ボックス１００を貫通孔３４から簡単に臨ませることができる。つまり、本実施形態では、従来、軽量間仕切り壁の構築作業で問題となっていた壁材立設後の配設体の困難な位置調整工程を省略するものであり、配設体の位置調整作業の煩わしさを著しく軽減することができる。したがって、本配置方法は、軽量間仕切り壁構築においてスタッド３２がランナー３１に沿って大きく移動する際の作業上の不具合を解消するものであり、壁内におけるボックス１００の設置作業を大きく改善するものである。
【００４４】
（変形例１）
上述した一実施形態では、ボックス１００の被固定部１０５と固定具１１０の第１固定部１１２とが物理的に嵌合して固定されている。しかしながら、本発明の制止手段（又は固定具）は、このような物理的な固定手段に限定されることなく、当業者は種々の固定手段を選択可能である。例えば、本発明の固定具（制止手段）として、配設体（ボックス）の被固定部を磁性金属（又は永久磁石）とすると共に固定具の第１固定部を永久磁石（又は磁性金属）として、両者を磁力で吸着させて脱着可能に固着することにより、配設体をランナーに対して制止することができる。この場合、樹脂製の配設体に磁性金属又は永久磁石の被固定部を設けてもよいし、又は、配設体本体を磁性金属で構成してもよい。あるいは、本発明の固定具（制止手段）として、配設体の被固定部及び固定具の第１固定部を接着剤や粘着シートにより連結することも可能である。さらに、被固定部と第１固定部とをビスで固定することも可能である。また、一実施形態では、固定具１１０の第２固定部１１３とランナー３１の掛止体１２０とが物理的に係合して固定されているが、当該第２固定部とランナーとの関係においても同様に、上述した磁力、接着力、ビス等による固定手段を採用することが可能である。すなわち、配設体、固定具、ランナー間の固定手段は当業者が想定し得る限り、任意に選択可能であり、本実施形態及び変形例に限定されることはない。
【００４５】
（変形例２）
上述した一実施形態では、上下ランナー３１に固定されるワイヤ状の固定具１１０が採用されたが、固定具が壁面における特定の位置に配設体を制止及び固定できればよく、一実施形態に限定されることはない。例えば、図１１の配設体設置構造１０Ａは、ボックス１００Ａと下方のランナー３１とを長板状の固定具１１０Ａで連結するものである。固定具１１０Ａの一端の第１固定部１１２Ａがボックス１００Ａの底壁１０１ｂＡの孔１０５Ａにビスで固定されていると共に、その他端の第２固定部１１３Ａが一方のランナー３１にビスで固定されている。この固定具１１０Ａでは、剛性の固定具１１０Ａがランナー３１にしっかりと固定されているため、固定具１１０Ａに側方の力が加わっても固定具本体１１１Ａが左右に動くことはない。すなわち、当該変形例のように、上下ランナー３１のいずれか一方とボックス１００Ａとを連結及び固定すれば、壁材立設時のスタッド３２の移動に対してボックス１００Ａを所定位置に制止することが可能である。
【００４６】
本発明は上述した実施形態や変形例に限定されるものではなく、本発明の技術的範囲に属する限りにおいて種々の態様で実施しうるものである。
【符号の説明】
【００４７】
１０      配設体設置装置
１００    ボックス（配設体）
１０１    ボックス本体
１０１ａ  側壁
１０１ｂ  底壁
１０２    前面部
１０３    器具取付部
１０４    摺動部
１０５    被固定部
１１０    固定具
１１１    ワイヤ
１１２    第１固定部
１１３    第２固定部
１２０    掛止体
２００    配設体支持具
２０１    取付部
２０２    支持部
２０３    ビス孔
２０４    ビス（ストッパー）
２０５    目盛り部
３１      ランナー
３２      スタッド
３３      壁材
３４      貫通孔
【図１】
2014103773.tif 000003
【図２】
2014103773.tif 000004
【図３】
2014103773.tif 000005
【図４】
2014103773.tif 000006
【図５】
2014103773.tif 000007
【図６】
2014103773.tif 000008
【図７】
2014103773.tif 000009
【図８】
2014103773.tif 000010
【図９】
2014103773.tif 000011
【図１０】
2014103773.tif 000012
【図１１】
2014103773.tif 000013